(57)【要約】【課題】種々のコンテナの開口部に着脱自在に取り付けることができるコンテナ用フェンスを提供する。【解決手段】コンテナ用フェンス４は、左右フェンスフレーム５、６および上下フェンスフレーム７、８で構成した縦長の略長方形状をしており、左右フェンスフレーム５、６は下方に突出し、コンテナの開口部や床に当接できるよう当接部９を有している。フェンスフレーム５〜８には格子状のネット１４が適宜手段で取り付けられている。また、上部フェンスフレームの左右には、円筒部１０が固定され、この円筒部１０内にハンドル１１の左右軸が上下に移動可能に取り付けられている。ハンドルの上部にはコンテナの開口部や天井に当接でき当接部９が設けられている。円筒部１０の中には、ハンドルの左右軸を常時上方に付勢する弾性体（スプリング等）１３が配置され、当該スプリング１３によりハンドル１１が常時上方に突出し状態となるようにしてある。【選択図】        図２
0003127461.tif 000002
【実用新案登録請求の範囲】
【請求項１】
コンテナの荷物搬入・搬出口に設置することができ、開口部に着脱可能に取り付けることができるようにしたことを特徴とするコンテナ用フェンス。
【請求項２】
前記コンテナ用フェンスは、コンテナ開口部に前記コンテナ用フェンスを固定するための固定手段を備えたことを特徴とする請求項１に記載のコンテナ用フェンス。
【請求項３】
前記固定手段は、弾性材と同弾性材の作用で突出する部材とからなり、突出部材をコンテナの開口部または壁に突っ張ることで前記コンテナ用フェンスを固定できることを特徴とする請求項２に記載のコンテナ用フェンス。
【請求項４】
前記固定手段は、ネジの作用で突出する突出部材とを有し、前記突出部材をネジの作用でコンテナの開口部または壁に突っ張ることで前記コンテナ用フェンスを固定できることを特徴とする請求項２に記載のコンテナ用フェンス。
【請求項５】
前記コンテナ用フェンスは、コンテナの開口部に開閉自在に設けた格子状扉であることを特徴とする請求項１に記載のコンテナ用フェンス。
【請求項６】
前記コンテナ用フェンスは、アルミ製のフレームにネットを取り付けて構成したことを特徴とする請求項１〜請求項５のいずれかに記載のコンテナ用フェンス。
【請求項７】
前記コンテナ用フェンスは、ネットで構成されその周囲にコンテナの開口部に係止できるフックを備えていることを特徴とする請求項１に記載のコンテナ用フェンス。
【考案の詳細な説明】
【技術分野】
【０００１】
本考案は種々のコンテナの開口部に着脱自在に取り付けることができるコンテナ用フェンスに関するものであり、さらには各種の航空貨物を積載し、フライト時は航空機の下部貨物室に搭載し、離発着時は空港施設内でドーリー等に搭載して輸送する特に航空用のコンテナの開口部に好適なコンテナ用フェンスに関するものである。
【背景技術】
【０００２】
貨物の航空輸送には航空機用の特別なコンテナが用意されており、貨物はこのコンテナ内に収納されて航空機で運搬され、目的空港に到着したのち、コンテナが航空機から降ろされ所定場所に移動され、そこでコンテナ内の貨物が積み降ろしされる（特許文献１）。
【０００３】
【特許文献１】特開２００４−３１５０７１
【０００４】
ところで、コンテナからの荷物を積み降ろす際に、倉庫等の建物の高さなどの理由により、コンテナの扉を開閉出来ない場合がある。このような場合には、荷物の積降ろし場所以外でコンテナの扉を予め開けておき、扉をあけた状態でコンテナを所定の場所に移動し、その後コンテナ内から貨物を積み降ろす作業となる。しかし、扉をあけた状態でコンテナを移動する際に、コンテナ開口部から中の貨物が脱落する恐れがあり、コンテナ移動の作業には十分な注意が必要であった。
【考案の開示】
【考案が解決しようとする課題】
【０００５】
本考案は上記従来問題点を改善するために提案されたものであり、コンテナの荷物搬入・搬出口に着脱自在に取り付けることができるコンテナ用フェンスを提供することにより、コンテナ移動中に、コンテナ開口部から貨物が脱落することを防止せんとするものである。
【課題を解決するための手段】
【０００６】
このため、本考案が採用した技術解決手段は、
コンテナの荷物搬入・搬出口に設置することができ、開口部に着脱可能に取り付けることができるようにしたことを特徴とするコンテナ用フェンスである。
また、前記コンテナ用フェンスは、コンテナ開口部に前記コンテナ用フェンスを固定するための固定手段を備えたことを特徴とするコンテナ用フェンスである。
また、前記固定手段は、弾性材と同弾性材の作用で突出する部材とからなり、突出部材をコンテナの開口部または壁に突っ張ることで前記コンテナ用フェンスを固定できることを特徴とするコンテナ用フェンスである。
また、前記固定手段は、ネジの作用で突出する突出部材とを有し、前記突出部材をネジの作用でコンテナの開口部または壁に突っ張ることで前記コンテナ用フェンスを固定できることを特徴とするコンテナ用フェンスである。
また、前記コンテナ用フェンスは、コンテナの開口部に開閉自在に設けた格子状扉であることを特徴とするコンテナ用フェンスである。
また、前記コンテナ用フェンスは、アルミ製のフレームにネットを取り付けて構成したことを特徴とするコンテナ用フェンスで
また、前記コンテナ用フェンスは、ネットで構成されその周囲にコンテナの開口部に係止できるフックを備えていることを特徴とするコンテナ用フェンスである。
【考案の効果】
【０００７】
本考案によれば、コンテナの扉をあけた状態でコンテナを所定の場所に移動する際に、コンテナ開口部に本考案に係るコンテナ用フェンスを取り付けるだけで、コンテナ開口部から貨物が脱落することを防止でき、コンテナの運搬作業が容易となるなど優れた作用効果を奏する。
【考案を実施するための最良の形態】
【０００８】
コンテナ用のフェンスであって、このフェンスはコンテナの荷物搬入・搬出口に、固定手段により着脱自在に取り付けることができる構成を有している。このコンテナ用フェンスを使用することによりコンテナ内から貨物が脱落することを防止できる。
【実施例】
【０００９】
以下、本考案の実施例を図面に基づいて説明すると、図１はコンテナの扉を開放した状態のコンテナの斜視図、図２は同コンテナ開口部に２枚のコンテナ用フェンスを取り付けた状態のコンテナの斜視図、図３はコンテナ用フェンスの斜視図、図４はコンテナ用フェンスの正面図である。
【００１０】
図において、例えば航空用のコンテナ１は一般に図１に示すように長方体状をしており、コンテナには貨物の出し入れをするための開口部２が形成されている。開口部２には、周知構造からなる開閉自在の扉３が取り付けられている。このようなコンテナにおいて、開口部の扉を開放した状態で、コンテナを運搬すると、開口部から貨物が脱落してしまう恐れがある。
そこで本考案では、前記コンテナ１の開口部２に図３に示すコンテナ用フェンス４を取り付けることにより貨物の脱落を防止する。
【００１１】
本考案に係るコンテナ用フェンス４は、図３、４に示すように、左右フェンスフレーム５、６および上下フェンスフレーム７、８で構成した縦長の略長方形状をしており、左右フェンスフレーム５、６は下方に突出し、コンテナの開口部や床に当接できる当接部９を有している。フェンスフレームは軽量化のためにアルミ等の軽い素材を使用して構成されている。フェンスフレーム５〜８には格子状のネット１４が適宜手段で取り付けられている。また、上部フェンスフレームの左右には、円筒部１０が固定され、この円筒部１０内にハンドル１１の左右軸が上下に移動可能に取り付けられている。ハンドル１１の左右軸は円筒部１０から突出しその端部にコンテナの開口部や天井部に当接する当接部１２が形成されている。円筒部１０の中には、ハンドルの左右軸を常時上方に付勢する弾性体（スプリング等）１３が配置され、当該スプリング１３によりハンドル１１が常時上方に突出した状態となるようにしてある。
【００１２】
上記構成からなるコンテナ用フェンス４をコンテナ１の開口部２に取り付けるには、ハンドル１１をスプリング１３の付勢力に抗して下方にひいた状態で、コンテナ開口部にコンテナ用フェンスを配置する。その後、ハンドル１１を開放すると、ハンドル１１がスプリング１３の作用で上方に移動し、ハンドル１１上端の当接部１２と左右フェンスフレーム５、６の下端の当接部９がそれぞれ、コンテナの開口部または天井、床面に突っ張り、コンテナ用フェンス４が開口部２に固定されることになる。
【００１３】
開口部２に取り付けるコンテナ用フェンス４は、図２では２枚使用しているが、開口部の面積によっては、１枚あるいは複数枚を使用することになる。複数枚の場合には折り畳み構造にすることも可能である。
上記コンテナ用フェンス４はフレームとネットで構成してあるが、ネットのみを使用し、ネットの周囲にフックを取り付け、このフックをコンテナ開口部や壁に設けた係止部に係止することでコンテナ用フェンスとすることもできる。
【００１４】
また、上記例ではコンテナ用フェンスの開口部への固定は、ハンドルとスプリングからなる固定手段を使用しているが、フレームに設けたネジ部材を、ネジの作用で突出させコンテナ開口部にフェンスフレームを固定することもできる。この場合のネジの本数はフレームの全周囲の長さに応じて、適宜の本数とすることができる。さらに、上記実施形態では、ハンドルを上下に移動し、コンテナ用フェンスを上下で突っ張り固定するようにしているが、ハンドルを左右に移動し、左右方向で突っ張るようにすることもできる。また、上下、左右ばかりでなく斜めに突っ張るようにすることも可能である。
【００１５】
さらに、本考案はその精神又は主要な特徴から逸脱することなく他の色々な形で実施することができ、また、前述の実施例はあらゆる点で単なる例示に過ぎず、限定的に解釈してはならない。
【産業上の利用可能性】
【００１６】
本考案は、種々のコンテナの開口部に着脱自在に取り付けることができるコンテナ用フェンスとして利用することができ、このコンテナ用フェンスによれば、扉をあけた状態でコンテナを所定の場所に移動する際に、開口部から貨物が脱落することを防止できる。
【図面の簡単な説明】
【００１７】
【図１】図１はコンテナの扉を開放した状態のコンテナの斜視図である。
【図２】同コンテナ開口部に２枚のコンテナ用フェンスを取り付けた状態のコンテナの斜視図である。
【図３】コンテナ用フェンスの斜視図である。
【図４】コンテナ用フェンスの正面図である。
【符号の説明】
【００１８】
１          コンテナ
２          開口部
３          扉
４          コンテナ用フェンス
５、６      左右フェンスフレーム
７、８      上下フェンスフレーム
９          載置部
１０          円筒部
１１          ハンドル
１２          当接部
１３          弾性体（スプリング）
１４          ネット
【図１】
0003127461.tif 000003
【図２】
0003127461.tif 000004
【図３】
0003127461.tif 000005
【図４】
0003127461.tif 000006
【手続補正書】
【提出日】平成18年7月26日(2006.7.26)
【手続補正１】
【補正対象書類名】実用新案登録請求の範囲
【補正対象項目名】全文
【補正方法】変更
【補正の内容】
【実用新案登録請求の範囲】
【請求項１】
コンテナの荷物搬入・搬出口に設置できるフェンスであって、前記フェンスは前記貨物の搬入・搬出口に着脱自在に取り付けることができるように構成したことを特徴とするコンテナ用フェンス。
【請求項２】
前記コンテナ用フェンスは、コンテナ開口部に前記コンテナ用フェンスを固定するための固定手段を備えたことを特徴とする請求項１に記載のコンテナ用フェンス。
【請求項３】
前記固定手段は、弾性材と同弾性材の作用で突出する部材とからなり、突出部材をコンテナの開口部または壁に突っ張ることで前記コンテナ用フェンスを固定できることを特徴とする請求項２に記載のコンテナ用フェンス。
【請求項４】
前記固定手段は、ネジの作用で突出する突出部材とを有し、前記突出部材をネジの作用でコンテナの開口部または壁に突っ張ることで前記コンテナ用フェンスを固定できることを特徴とする請求項２に記載のコンテナ用フェンス。
【請求項５】
前記コンテナ用フェンスは、コンテナの開口部に開閉自在に設けた格子状扉であることを特徴とする請求項１に記載のコンテナ用フェンス。
【請求項６】
前記コンテナ用フェンスは、アルミ製のフレームにネットを取り付けて構成したことを特徴とする請求項１〜請求項５のいずれかに記載のコンテナ用フェンス。
【請求項７】
前記コンテナ用フェンスは、ネットで構成されその周囲にコンテナの開口部に係止できるフックを備えていることを特徴とする請求項１に記載のコンテナ用フェンス。
【手続補正２】
【補正対象書類名】明細書
【補正対象項目名】０００６
【補正方法】変更
【補正の内容】
【０００６】
このため、本考案が採用した技術解決手段は、
コンテナの荷物搬入・搬出口に設置できるフェンスであって、前記フェンスは前記貨物の搬入・搬出口に着脱自在に取り付けることができるように構成したことを特徴とするコンテナ用フェンスである。
また、前記コンテナ用フェンスは、コンテナ開口部に前記コンテナ用フェンスを固定するための固定手段を備えたことを特徴とするコンテナ用フェンスである。
また、前記固定手段は、弾性材と同弾性材の作用で突出する部材とからなり、突出部材をコンテナの開口部または壁に突っ張ることで前記コンテナ用フェンスを固定できることを特徴とするコンテナ用フェンスである。
また、前記固定手段は、ネジの作用で突出する突出部材とを有し、前記突出部材をネジの作用でコンテナの開口部または壁に突っ張ることで前記コンテナ用フェンスを固定できることを特徴とするコンテナ用フェンスである。
また、前記コンテナ用フェンスは、コンテナの開口部に開閉自在に設けた格子状扉であることを特徴とするコンテナ用フェンスである。
また、前記コンテナ用フェンスは、アルミ製のフレームにネットを取り付けて構成したことを特徴とするコンテナ用フェンスである。
また、前記コンテナ用フェンスは、ネットで構成されその周囲にコンテナの開口部に係止できるフックを備えていることを特徴とするコンテナ用フェンスである。
【手続補正書】
【提出日】平成18年9月28日(2006.9.28)
【手続補正１】
【補正対象書類名】実用新案登録請求の範囲
【補正対象項目名】全文
【補正方法】変更
【補正の内容】
【実用新案登録請求の範囲】
【請求項１】
コンテナの荷物搬入・搬出口に設置できるフェンスであって、前記フェンスには同フェンスを前記荷物の搬入・搬出口に着脱自在に取り付けることができる着脱手段を有することを特徴とするコンテナ用フェンス。
【請求項２】
前記コンテナ用フェンスは、コンテナ開口部に前記コンテナ用フェンスを固定するための固定手段を備えたことを特徴とする請求項１に記載のコンテナ用フェンス。
【請求項３】
前記固定手段は、弾性材と同弾性材の作用で突出する部材とからなり、突出部材をコンテナの開口部または壁に突っ張ることで前記コンテナ用フェンスを固定できることを特徴とする請求項２に記載のコンテナ用フェンス。
【請求項４】
前記固定手段は、ネジの作用で突出する突出部材とを有し、前記突出部材をネジの作用でコンテナの開口部または壁に突っ張ることで前記コンテナ用フェンスを固定できることを特徴とする請求項２に記載のコンテナ用フェンス。
【請求項５】
前記コンテナ用フェンスは、コンテナの開口部に開閉自在に設けた格子状扉であることを特徴とする請求項１に記載のコンテナ用フェンス。
【請求項６】
前記コンテナ用フェンスは、アルミ製のフレームにネットを取り付けて構成されており、前記フレームにはコンテナの開口部に同フェンスを着脱するための着脱手段を有することを特徴とする請求項１に記載のコンテナ用フェンス。
【請求項７】
前記コンテナ用フェンスは、ネットで構成されその周囲にコンテナの開口部に係止できるフックを備えていることを特徴とする請求項１に記載のコンテナ用フェンス。
【手続補正２】
【補正対象書類名】明細書
【補正対象項目名】０００６
【補正方法】変更
【補正の内容】
【０００６】
このため、本考案が採用した技術解決手段は、
コンテナの荷物搬入・搬出口に設置できるフェンスであって、前記フェンスには同フェンスを前記荷物の搬入・搬出口に着脱自在に取り付けることができる着脱手段を有することを特徴とするコンテナ用フェンスである。
また、前記コンテナ用フェンスは、コンテナ開口部に前記コンテナ用フェンスを固定するための固定手段を備えたことを特徴とするコンテナ用フェンスである。
また、前記固定手段は、弾性材と同弾性材の作用で突出する部材とからなり、突出部材をコンテナの開口部または壁に突っ張ることで前記コンテナ用フェンスを固定できることを特徴とするコンテナ用フェンスである。
また、前記固定手段は、ネジの作用で突出する突出部材とを有し、前記突出部材をネジの作用でコンテナの開口部または壁に突っ張ることで前記コンテナ用フェンスを固定できることを特徴とするコンテナ用フェンスである。
また、前記コンテナ用フェンスは、コンテナの開口部に開閉自在に設けた格子状扉であることを特徴とするコンテナ用フェンスである。
また、前記コンテナ用フェンスは、アルミ製のフレームにネットを取り付けて構成されており、前記フレームにはコンテナの開口部に同フェンスを着脱するための着脱手段を有することを特徴とするコンテナ用フェンスである。
また、前記コンテナ用フェンスは、ネットで構成されその周囲にコンテナの開口部に係止できるフックを備えていることを特徴とするコンテナ用フェンスである。